(57)【特許請求の範囲】
【請求項１】
デスク天板上に立設した支柱の回りに水平面内で回動可能なアームを備え、該アームの先端にディスプレイ等を支持するようにしたデスク用アーム装置において、前記支柱をデスクに固定する締付部材を支柱上部に設け、前記アームに両端にケーブル挿通用開口を有する配線用空洞部を備え、アームの先端にはこれに支持したディスプレイ等を傾動可能とするチルト機構を備え、
前記支柱は、底板の一側辺に偏心して立設されているネジ棒と、その底板の上方に該ネジ棒を貫通したフランジ板を有する筒体とを備え、該筒体の上面から突出したネジ棒の上部を前記締付部材に螺合させ、デスク天板への取付時、底板とフランジ板とで挟持した天板に対して締付部材を締め込むことにより支柱がデスク天板に固着されるようにした
ことを特徴とするデスク用アーム装置。
【請求項２】
前記アームを第１、第２アームで構成し、支柱側の第１アームの先端に中間軸を支持して該中間軸の回りに第２アームを回転自在とし、この第２アームの先端にディスプレイ等を支持することにより、前記第２アームを第１アームに接近する方向に折り畳み可能とした請求項１記載のデスク用アーム装置。
【請求項３】
前記支柱は、平面視矩形状の底板の長手方向と直角方向の中心より長手方向一側辺に偏心して立設されているネジ棒と、その底板の上方に該ネジ棒を貫通したフランジ板を有する筒体とを備え、該筒体の上面から突出したネジ棒の上部を前記締付部材に螺合させ、デスク天板への取付時、底板とフランジ板とで挟持した天板に対して底板を９０°回転させてデスクに設けた穴から抜け止めするとともに、締付部材を締め込むことにより支柱がデスク天板に固着されるようにした請求項１記載のデスク用アーム装置。
【発明の詳細な説明】
【０００１】
【発明の属する技術分野】
本発明はＯＡ機器等を支持するデスク用アーム装置に係り、特に使用時にデスク上でＯＡ機器等による作業が行え、不使用時にはデスク上からＯＡ機器を退避させて通常のデスク作業が妨げられることなく行えるようにしたデスク用アーム装置に関する。
【０００２】
【従来の技術】
近年パソコンやワープロ等のＯＡ技術の発達に伴い、ＯＡ機器が事務処理に欠かせない存在となっており、このため官庁・民間会社を問わず各デスク毎に１台のＯＡ機器が配置される時代となっている。この場合、配置の仕方には色々あるが、例えば従来から用いられている回転式電話台と同じようにデスク上に立設した支柱に水平方向に回転自在なアームを取付け、アームの先端にＯＡ機器のディスプレイ（液晶）を設置するようにすることにより、ＯＡ機器の使用時はアームを手前側に回転させて作業を行い、不使用時にはＯＡ機器をデスクの奥へ退避させるようにアームを回転させるデスク用のアーム装置が知られている。
【０００３】
【発明が解決しようとする課題】
しかしながら上述したアーム装置をデスクに取付けるには一般にデスクの天板をアーム装置の下側にある基部で挟み込み、かつ下からボルト等の締結部材により締め付けることによりデスクに固定する構造となっている。
【０００４】
したがって取付けの際にはデスクの下に潜って万力型の金具とボルトにより締付けなければならず、この作業は極めて苦痛の伴うものであった。
【０００５】
またこのようなアーム装置にＯＡ機器のディスプレイを取付ける場合、ＯＡ機器に接続するケーブル等はむき出しのままの垂れ下げ式になっているため、クリップやバンド等によりケーブルの各位置を固定して保持するようにしており、外観的にも見苦しいものとなっていた。
【０００６】
さらにアーム装置の先端に位置するＯＡ機器の設置台は専用の保持機構となっているため、自由度の調整が効かず、しかも汎用性がない。したがってＯＡ機器が液晶式のディスプレイのような場合にはチルト機構がないために見え難い角度での設置しか出来ないという欠点があった。
【０００７】
【課題を解決するための手段】
本発明は、デスクの上に固定するアーム装置の着脱が容易に行え、かつＯＡ機器のケーブル等の垂れ下がりをなくするとともに、アームの端部に取付けられる機器を見易い角度に調整することを可能としたデスク用アーム装置を提供することを課題としたもので、その手段としては、デスクの上に立設する支柱の固定を上部から締付けるようにし、ケーブル等は支柱に回転可能としたアームに内装するとともに、アームの端部には取付けられた機器の角度を調整できるチルト機構を設けたことにある。すなわち、本願発明は、デスク天板上に立設した支柱の回りに水平面内で回動可能なアームを備え、該アームの先端にディスプレイ等を支持するようにしたデスク用アーム装置において、前記支柱をデスクに固定する締付部材を支柱上部に設け、前記アームに両端にケーブル挿通用開口を有する配線用空洞部を備え、アームの先端にはこれに支持したディスプレイ等を傾動可能とするチルト機構を備え、前記支柱は、底板の一側辺に偏心して立設されているネジ棒と、その底板の上方に該ネジ棒を貫通したフランジ板を有する筒体とを備え、該筒体の上面から突出したネジ棒の上部を前記締付部材に螺合させ、デスク天板への取付時、底板とフランジ板とで挟持した天板に対して締付部材を締め込むことにより支柱がデスク天板に固着されるようにしたことを特徴とする。
【０００８】
また、前記アームを第１、第２アームで構成し、支柱側の第１アームの先端に中間軸を支持して該中間軸の回りに第２アームを回転自在とし、この第２アームの先端にディスプレイ等を支持することにより、前記第２アームを第１アームに接近する方向に折り畳み可能としたことを特徴とする。また、前記支柱を平面視矩形状の底板の長手方向と直角方向の中心より長手方向一側辺に偏心して立設されているネジ棒と、その底板の上方に該ネジ棒を貫通したフランジ板を有する筒体とを備えるものとし、該筒体の上面から突出したネジ棒の上部を前記締付部材に螺合させ、デスク天板への取付時、底板とフランジ板とで挟持した天板に対して底板を９０°回転させてデスクに設けた穴からの抜け止めするとともに、締付部材を締め込むことにより支柱がデスク天板に固着されるようにしたことを特徴とする。
【０００９】
【発明の実施の形態】
本発明にかかるデスク用アーム装置は、図１に平面図を、図２に一部を断面とした側面図を示すように、デスク天板１上に立設される支柱２の周りには水平方向に回動可能なアーム３の第１アーム３Ａが設けられ、この第１アーム３Ａの先端には垂直な中間軸４が設けられ、この中間軸４の周りには水平方向に回転可能な第２アーム３Ｂが設けられていて、その先端にはディスプレイ等を支持するようにした先端軸５が垂直状態に設けられている。前記支柱２の上部には、この支柱２をデスク天板１に固定するためのナット状の締付部材６が設けられている。図２中、１ａはデスク面を示す。
【００１０】
前記支柱２は、図３に詳細を示すように平面視矩形状で周縁が立設した枠に形成された底板２ｂがあって、その長手方向に直角の中心より長手方向一側辺に偏心して立設した底部に固着されているネジ棒２ａと、その底板２ｂの上方に該ネジ棒２ａを貫通したフランジ板２ｄを下面に固着した筒体２ｃとからなっていて、該筒体２ｃには前記ネジ棒２ａが下側から挿入され、筒体２ｃの上面から突出したネジ棒２ａの上部に前記締付部材６が螺合できるようになっている。
【００１１】
また底板２ｂとフランジ板２ｄとの間には、この間を一定間隔に保持しかつ底板２ｂとフランジ板２ｄとが一体的に動くようにするため上下に水平部を有する垂直のガイド板２ｅがネジ棒２ａに沿う形に設けられ、下側の水平折曲部２ｆはネジ棒２ａとの干渉を避けるため離隔した一対で形成され、底板２ｂに設けられた一対の穴２ｇ，２ｇを通して底板２ｂの下面に係合するようになされている。したがってガイド板２ｅの上側の水平部２ｈにはフランジ板２ｄが接触するようになっている。
【００１２】
前記第１アーム３Ａの基部は図２のように支柱２の筒体２ｃに外嵌されるもので、筒体２ｃの水平周りに回動可能なパイプ３Ａａと、このパイプ３Ａａの一端に水平に連結された角パイプからなるアーム本体３Ａｂと、アーム本体３Ａｂの他端部に連結され前記中間軸４の水平周りに回動可能なパイプ３Ａｃと、アーム本体３Ａｂの下側でパイプ３Ａａ、およびアーム本体３Ａｂに複数本のビス等の締結部材７により固着された配線カバー８とで構成されている。
【００１３】
この配線カバー８は、図４にその断面を示すように角パイプの底面を縁部を残して切落された部分の縁部に断面Ｕ字型のケーブル受け８ａの開放端を係止させるように形成されたもので、ケーブル受け８ａ内にはディスプレイ等のケーブルを収容するようになされている。
【００１４】
これにより配線カバー８の内部には配線用空洞部８Ａが形成され、その空洞部８Ａはパイプ３Ａａ側が大きくパイプ３Ａｃ側に移動するに従って小さくなるように先細りに傾斜した形状に形成されている。そしてケーブル受け８ａの両端の下側には図５に示すようにケーブル挿通用開口８ｂがそれぞれ設けられている。
【００１５】
前記第２アーム３Ｂも第１アーム３Ａと同様に、垂直な中間軸４の上部の水平周りに外嵌される回動可能なパイプ３Ｂａと、このパイプ３Ｂａの一端に水平に連結された角パイプからなるアーム本体３Ｂｂと、このアーム本体３Ｂｂの他端部に連結され前記先端軸５の水平周りに回動可能なパイプ３Ｂｃと、アーム本体３Ｂｂの下側でパイプ３Ｂａ、およびアーム本体３Ｂｂに複数本のビス等の締結部材により固着された配線カバー８’とで構成されている。なおこの配線カバー８’は前記配線カバー８と同じ構成であるからその詳細説明は省略する。
【００１６】
前記中間軸４は、前記支柱２と同じように中央にネジ棒４ａが立設された底板４ｂと、ネジ棒４ａを囲む筒体４ｃと、この筒体４ｃから突出したネジ棒４ａの上部に螺合する締付部材４ｄとにより構成され、底板４ｂ上の筒体４ｃにパイプ３Ａｃとパイプ３Ｂｃとを外嵌して締付部材４ｄにより締付けることにより、パイプ３Ａｃとパイプ３Ｂａとを中間軸４に対して回動可能とするものである。
【００１７】
前記先端軸５も中間軸４と同様に中央にネジ棒５ａが立設された底板５ｂと、ネジ棒５ａを囲む筒体５ｃと、この筒体５ｃから突出したネジ棒５ａの上部に螺合する締付部材５ｄとで構成され、底板５ｂ上の筒体５ｃにはパイプ３Ｂｃおよびその上下部に二股状に形成されたＣ型アーム９のパイプ部分を外嵌して締付部材５ｄにより締付け、パイプ３ＢｃおよびＣ型アーム９とを先端軸５に対して回動可能としている。図中、１０はブッシュである。
【００１８】
前記Ｃ型アーム９は上下の二股部分を連結する部分が平板状に形成されており、その平板部９ａには中央にピン穴９ｂが形成されている。この平板部９ａは図６に図２の正面図を示すようにチルト機構１１のディスプレイホルダ１１ａに固着された２個のブラケット１２と１３との間にゴム板１４，１４を介して当接するように配置されている。
【００１９】
前記チルト機構１１には図示しないディスプレイが取付けられて支持されるようになっている。
【００２０】
そして両ブラケット１２，１３を貫通するように設けた穴と前記ピン穴９ｂとの間には先端にネジを設けたピン１５とこれに螺合する雌ネジを有する摘み１６を互に逆方向から挿入して締付けることによりＣ型アーム９はブラケット１２，１３で保持するようになっている。すなわちブラケット１２にはピン１５の頭部の回り止めとなる平面部が設けられており、これによりピン１５は摘み１６を回しても共回りしないようにしてある。またブラケット１３はピン１５が挿入される穴の周辺が抉られた形状になっているため摘み１６を強く締め付けるとブラケット１３の弾力によりブラケット１２との間隔が狭められ、ゴム板１４の摩擦により滑りに対するブレーキとなる。
【００２１】
さらに摘み１６の外周とＣ型アーム９の間には捩りバネ１７が設けられていて、取付けられたディスプレイの下部を持ち上げる方向に付勢してバランスを保つようになっている。
【００２２】
つぎに作用を説明する。
前記ディスプレイホルダ１１ａはＣ型アーム９と一体のときは図２において先端軸５回りに回転でき、またＣ型アーム９とブラケット１２，１３を連結するピン１５回りでは図２において上下に回動できるようになっているのでチルト作動を行うことができる。そしてその角度の調整は摘み１６のネジ込み量により加減することができる。
【００２３】
また第２アーム３Ｂは中間軸４を中心として第１アーム３Ａに接近する方向に折り畳むことができるから、デスク作業等のようにディスプレイを使用しない場合にも第１アーム３Ａに近い位置に待機させることができる。この近い位置での待機はデスクの右奥の部分に棚等の邪魔物があるような場合には２つのアームを伸ばした状態での移動は不可となるので特に有効である。
【００２４】
さらにディスプレイホルダ１１ａに取付けられたディスプレイに連結される配線用のケーブル１８は、デスク側に設けられたソケットから支柱２の外周に沿わせたのち配線カバー３Ａｄの一方の開口８ｂを通して配線カバー８内を這わせ、他方の開口８ｂから外へ出し、中間軸４の下側を這わせたのち第２アーム３Ｂの配線カバー８’の一方の開口８ｂ’を通して配線カバー８’内を這わせて他方の開口８ｂ’から外へ出し、先端軸５の回りを経てディスプレイに至るようにする。
【００２５】
したがって支柱２や中間軸４および先端軸５部分を除いてケーブル１８はカバーされるから、従来のような垂れ下がり状態は解消され、見た目もすっきりしたものとなる。
【００２６】
この場合、ケーブル１８を配線カバー８および８’内に這わせるには、予め配線カバー８および８’からケーブル受け８ａを取外して、ケーブル受け８ａ内にケーブル１８を収納し、完了後に再びケーブル受け８ａを配線カバー８および８’に取付ければよいので、着脱は容易に行える。
【００２７】
つぎにアーム装置の支柱２をデスク天板１に取付けるとき、図７に示すように天板１を底板２ｂとフランジ板２ｄとの間で挟持して、ネジ棒２ａを天板１の端部に接触させるようにすれば支柱２が天板１から外へはみ出す量が少なくなり、締付部材６を締め込むことにより支柱２はデスク天板１に固着されるので、隣合うデスク１’との間隔を大きく広げることなく取付けられる。
【００２８】
また支柱固着の別例として図８に示すようにデスクを２個並べた場合の天板１，１’に対して１個の支柱２を固着することもできる。すなわち天板１，１’の間をネジ棒２ａの太さ分だけ離しておき、この間に底板２ｂを天板１，１’の下側から差し込み、天板１，１’の下面を底板２ｂの上縁部に接触させる。そして上面にはネジ棒２ａを通した筒体２ｃのフランジ面２ｄを接触させたのち筒体２ｃから突出したネジ棒２ａの上部を締付部材６で締め込むことにより支柱２がデスク天板１に固着される。
【００２９】
図９は天板１に予め底板２ｂを通過可能な大きさの穴１ｂが穿設されている個所に支柱２を取付ける場合で、図９（Ａ）に示すように底板２ｂを穴１ｂから下へ通して天板１の下面に底板２ｂの上縁部に接触させた後、底板２ｂを９０°回転させることにより上方向への抜け止めがなされる。そして天板１の上面にはネジ棒２ａを通した筒体２ｃのフランジ面２ｄを下降させて接触させたのち筒体２ｃから突出したネジ棒２ａの上部を締付部材６で締め込むことにより支柱２が図９（Ｂ）のようにデスク天板１に固着される。この場合は天板１に穴１ａが穿設されているため、隣合うデスクに関係なく支柱２を設置することができる。
【００３０】
なお、本発明は支柱をデスク天板に対して取り付ける場合に、締付部材を上部に置いて締め易くしたが、中間軸および先端軸の場合も上述したように上部から締付けることができる。
【００３１】
【発明の効果】
本発明は以上説明したように構成したから、以下に示す効果を奏することができる。
【００３２】
１）支柱のデスクへの取付けにおいて締付部が上部にあるから、従来のようにデスクの下に潜って行う必要がなく、しかも作業が工具なしで行える。
【００３３】
２）支柱は２個のデスクに対しても取付けが可能である。
【００３４】
３）アームに配線用空胴部を設けたために配線がすっきり行える。したがって従来のようなケーブルの垂れ下がりによる不具合がなくなる。
【００３５】
４）液晶式ディスプレイの場合は、チルト機構の採用により角度の調整が容易であるため常時見易い角度に設定することが出来る。
【００３６】
５）請求項２のように２段式のアームとすれば、途中で折り畳めるので不使用時のデスクのスペースの有効利用が可能となる。
【図面の簡単な説明】
【図１】本発明のデスク用アーム装置の一実施形態を示す平面図。
【図２】図１の一部を断面とした側面図。
【図３】図２の支柱の下部部分の斜視図。
【図４】図２のＡ−Ａ断面図。
【図５】図２のＰ部の詳細を示す斜視図。
【図６】図２のデスク用アーム装置のチルト機構を示す正面図。
【図７】本発明の支柱をデスクに取付ける場合の標準形態を示す側面図。
【図８】本発明の支柱を２つのデスクに跨がって取付ける場合の形態を示す側面図。
【図９】本発明の支柱を穴明きデスクに取付ける場合の形態を示し、（Ａ）は取付け直前の断面図、（Ｂ）は取付け完了の断面図。
【符号の説明】
１  デスク天板
２  支柱
２ａ  ネジ棒
２ｂ  底板
２ｃ  筒体
２ｄ  フランジ板
３  アーム
３Ａ  第１アーム
３Ｂ  第２アーム
４  中間軸
５  先端軸
６  締付部材
８Ａ  配線用空洞部
８ｂ  ケーブル挿通用開口
９  Ｃ型アーム
１１  チルト機構
１１ａ  ディスプレイホルダ
１２，１３  ブラケット
１５  ピン
１６  摘み
１７  捩じりバネ
【図１】
0003693413.tif 000002
【図２】
0003693413.tif 000003
【図３】
0003693413.tif 000004
【図４】
0003693413.tif 000005
【図５】
0003693413.tif 000006
【図６】
0003693413.tif 000007
【図７】
0003693413.tif 000008
【図８】
0003693413.tif 000009
【図９】
0003693413.tif 000010